(57)【要約】【課題】  挿入した針金や棒等をサムターンの摘み部分に引っ掛けて、サムターンを回転することによる不正解錠を阻止し、防犯性の向上を図る。【解決手段】  錠箱機構部に回動操作力を入力する連結軸３と、連結軸３と同軸線上に位置して、扉又は錠箱に回転自在に設けられる支持枠６と、基端に連結軸３に嵌合する嵌合部１７を備え、連結軸３との嵌合位置Ａと連結軸３から離脱する離脱位置Ｂとの間を軸線方向に摺動自在に設けられるともに、離脱位置Ｂにて揺動し、軸線方向の摺動を規制する規制手段１５を備え、支持枠６に設けられる摘み部１６とを具備する。【選択図】        図１
2006057286.tif 000002
【特許請求の範囲】
【請求項１】
錠箱機構部に回動操作力を入力する連結軸と、
前記連結軸と同軸線上に位置して、扉又は錠箱に回転自在に設けられる支持枠と、
基端に前記連結軸に嵌合する嵌合部を備え、前記連結軸との嵌合位置と該連結軸から離脱する離脱位置との間を軸線方向に摺動自在に設けられるともに、前記離脱位置にて揺動し、前記軸線方向の摺動を規制する規制手段を備え、前記支持枠に設けられる摘み部と、
を具備することを特徴とするサムターン。
【請求項２】
前記規制手段は、
前記連結軸の軸線に対して直交方向を軸線とする支軸と、
該支軸が嵌合する長穴と、
を具備し、
前記長穴が、前記連結軸の軸線方向と平行な長手方向とされる際に、前記嵌合位置と離脱位置との間の摺動を案内し、前記離脱位置にて前記支軸を中心に揺動されることを特徴とする請求項１記載のサムターン。
【請求項３】
前記摘み部には、前記離脱位置方向に付勢する付勢手段を備えることを特徴とする請求項１又は２記載のサムターン。
【請求項４】
前記摘み部には、前記離脱位置における揺動状態を保持する保持手段を備えることを特徴とする請求項１又は２又は３記載のサムターン。
【発明の詳細な説明】
【技術分野】
【０００１】
本発明は、扉などの開閉体に内蔵された錠箱機構部、或いは扉面に突出して配置された錠ケース内の錠箱機構部に対し、回転による操作力を入力し、錠箱内に設けたロック部材を開閉体枠に対して進退動作させるサムターンに関する。
【背景技術】
【０００２】
マンションや住宅等の玄関扉には錠箱が設けられ、錠箱は扉木口から進退させたデッドボルトを扉枠に係合・係合解除させて、扉を施解錠する施解錠機構を内蔵している。この錠箱には扉の屋外側からシリンダー錠によって施解錠操作力が入力され、扉の屋内側からはサムターンにより施解錠操作力が入力可能となっている。すなわち、屋外側からはシリンダー錠の合鍵による操作が必要になる一方、屋内側からは合鍵を用いずに摘みのみの回転操作で施解錠が行える。
【０００３】
この種のサムターンは、下記特許文献１にも開示されるように、扉の屋内面側に垂直に突出した翼板状の摘みを有する。この摘みは、サムターン軸を介して錠箱の施解錠機構に連結されている。従って、屋内側からは、この摘みを指で摘んで正逆回転操作することで、回転操作力がサムターン軸を介して直接錠箱へ伝達され、施解錠機構によりデッドボルトが進退されて、施解錠操作が簡便に行えるようになっている。
【特許文献１】特公平２−１５７１５号公報  （第１図ｂ，第１図ｃ）
【発明の開示】
【発明が解決しようとする課題】
【０００４】
しかしながら、近年、特に玄関扉や、その扉周りの建具には、豪華さや優美さを演出するためのガラス嵌小窓が採用される傾向にあり、このような小窓を有する扉や、近傍に小窓が設けられた扉では、小窓のガラスが割られると、外部から手を差し入れてサムターンを不正に操作したり、先端を鉤状に曲げた針金や棒等を挿入して、サムターンが不正に操作されてしまう虞れがある。
【０００５】
一般的に、扉に多用される回転式のサムターンは、屋内側に露出する摘みが回動中心から半径方向外側に翼部を張り出させた形状であるため、この翼板部に、針金等を曲げた鉤状先端を掛止し、回転モーメントを与えることにより不正な解錠操作が可能となる場合があった。
【０００６】
また、サムターンは、上記した小窓の無い扉においても、郵便ポストの投入開口など、針金を挿入する穴や隙間が扉自体或いは扉近傍の壁部等にあれば、同様に不正解錠される虞があった。
【０００７】
本発明は上記状況に鑑みてなされたもので、挿入した針金や棒等をサムターンの摘み部分に引っ掛けて、サムターンを回転することによる不正解錠を阻止できるサムターンを提供し、防犯性の向上を図ることを目的とする。
【課題を解決するための手段】
【０００８】
次に、上記の課題を解決するための手段を、実施の形態に対応する図面を参照して説明する。
この発明の請求項１記載のサムターンは、錠箱機構部に回動操作力を入力する連結軸３と、
前記連結軸３と同軸線上に位置して、扉又は錠箱に回転自在に設けられる支持枠６と、
基端に前記連結軸３に嵌合する嵌合部１７を備え、前記連結軸３との嵌合位置Ａと該連結軸３から離脱する離脱位置Ｂとの間を軸線方向に摺動自在に設けられるともに、前記離脱位置Ｂにて揺動し、前記軸線方向の摺動を規制する規制手段１５を備え、前記支持枠６に設けられる摘み部１６と、
を具備することを特徴とする。
【０００９】
このサムターン１では、通常のサムターン１としての使用を行う状態では、摘み部１６の軸線Ｃ２が、連結軸３の軸線Ｃ１と同軸線上となり、摘み部１６は嵌合位置Ａとなって、嵌合部１７が連結軸３と嵌合している。この状態で、摘み部１６を摘み、回動操作を行えば、連動連結状態となっていることで連結軸３にその回動操作力が伝わることとなり、これにより錠箱機構部にはその操作力が入力される。一方、摘み部１６を摺動して、嵌合部１７が連結軸３から離脱されると、摘み部１６は、離脱位置Ｂとなり、その位置で摘み部１８は規制手段１５によって揺動して、これにより摘み部１６の軸線方向（Ｃ２）が連結軸３の軸線Ｃ１に対して異なる向きとなる。この状態では、摘み部１６を回転させても、連結軸３とは連結されていない離脱状態となっており、この摘み部１６が空転することとなって、回動操作力は連結軸３に伝わることがない。すなわち、不正な回動操作などを行うことが不可能となり、防犯性が得られることとなる。
【００１０】
請求項２記載のサムターンは、請求項１記載のサムターンにおいて、前記規制手段１５は、
前記連結軸３の軸線Ｃ１に対して直交方向を軸線とする支軸１４と、
該支軸１４が嵌合する長穴１８と、
を具備し、
前記長穴１８が、前記連結軸３の軸線方向と平行な長手方向とされる際に、前記嵌合位置Ａと離脱位置Ｂとの間の摺動を案内し、前記離脱位置Ｂにて前記支軸１４を中心に揺動されることを特徴とする。
【００１１】
このサムターンでは、摘み部１６の摺動と揺動とを、支軸１４と長穴１８との組み合わせで構成し、連結軸３と摘み部１６の嵌合部１７との嵌合と、これらの離脱を長穴１８の長手方向の摺動で行うことができ、また、互いの離脱位置Ｂにて支軸１４を中心に揺動されることとなる。
【００１２】
請求項３記載のサムターンは、請求項１又は２記載のサムターンにおいて、前記摘み部１６には、前記離脱位置Ｂ方向に付勢する付勢手段を備えることを特徴とする。
【００１３】
このサムターンでは、摘み部１６の嵌合部１７と連結軸３とが嵌合し連動連結状態とされる状態を、付勢手段の付勢により強制的に解除し、互いが離脱した状態となる。このことから、サムターン１として、施解錠操作を行うには、付勢手段の付勢力に抗する操作が必要となり、容易に回動操作力を連結軸３に入力できないことから、防犯性が向上することとなる。
【００１４】
請求項４記載のサムターンは、請求項１又は２又は３記載のサムターンにおいて、前記摘み部１６には、前記離脱位置Ｂにおける揺動状態を保持する保持手段を備えることを特徴とする。
【００１５】
このサムターンでは、摘み部１６が連結軸３から離脱し、揺動して互いの軸線を異なる方向とした状態で保持されており、通常の状態で、摘み部１６は連結軸３との嵌合が行われていない状態となる。このことから、摘み部１６は、連結軸３に対して空転してしまう状態であり、不正な操作が行われることがあっても、錠箱機構部に対しては回動操作力が入力されず、施解錠操作が行われない。
【発明の効果】
【００１６】
本発明に係る請求項１記載のサムターンによれば、摘み部の操作力を連結軸に伝達するのに、摘み部を、連結軸の軸線と同軸線上とし、連結軸方向に摺動させて嵌合位置とし、摘み部の嵌合部を連結軸に嵌合状態とさせる。この状態では、摘み部の回動操作力が連結軸に伝わり、錠箱機構部への施解錠操作が行えることとなる。また、摘み部を摺動し、離脱位置とすれば、摘み部は、連結軸との嵌合状態が解かれ、同時に摘み部が揺動し、連結軸の軸線から摘み部の軸線が異なる方向となって外れることとなり、互いの嵌合が行われなくなる。この状態では、摘み部は、支持枠とともに、回転自在な状態となり、すなわち、摘み部側の回転は、連結軸に伝わらず、摘み部は空転するのみである。したがって、扉等に設けた小窓を割り手を差し入れてサムターンを不正に操作しようとしても、摘み部を連結軸の軸線と同軸線として摺動させ互いを嵌合し回転操作をしなくてはならないことから、容易にそのような操作を行うことが不可能となり、操作力を錠箱機構部に入力し解錠を行うことができず、また、扉等に設けた小窓を割り、或いは扉と扉枠の隙間から針金を差し入れることによりサムターンを不正に操作しようとしても、摘み部は空転するのみで、操作力を錠箱機構部に入力して解錠を行うことができない。すなわち、針金や棒などを摘み部に引っ掛ける等して、摘み部を回転することによる不正解錠を阻止でき、防犯性を向上させることができる。
【００１７】
本発明に係る請求項２記載のサムターンによれば、摘み部の摺動と揺動とを、支軸と長穴との組み合わせで構成し、連結軸と摘み部の嵌合部との嵌合と、これらの離脱を長穴の長手方向の摺動で行うことができ、また、互いの離脱位置にて支軸を中心に揺動されることとなり、簡素な構成で実現が可能となる。
【００１８】
本発明に係る請求項３記載のサムターンによれば、摘み部の嵌合部と連結軸とが嵌合し連動連結状態とされる状態を、付勢手段の付勢により強制的に解除し、互いが離脱した状態となる。このことから、サムターンとして、施解錠操作を行うには、付勢手段の付勢力に抗する操作が必要となり、容易に回動操作力を連結軸に入力できないことから、防犯性を一層向上させることとなる。
【００１９】
本発明に係る請求項４記載のサムターンによれば、摘み部が連結軸から離脱し、揺動して互いの軸線を異なる方向とした状態で保持されており、通常の状態で、摘み部は連結軸との嵌合が行われていない状態となる。このことから、摘み部は、連結軸に対して空転してしまう状態であり、不正な操作が行われることがあっても、錠箱機構部に対しては回動操作力が入力されず、不正な解錠操作を阻止することが可能となる。
【発明を実施するための最良の形態】
【００２０】
以下、本発明に係るサムターンの好適な実施の形態を図面を参照して説明する。
図１は本発明に係るサムターンの実施の形態を表す分解斜視図、図２は同サムターンの側断面図である。
【００２１】
図示しない扉には錠箱を設けてあり、この錠箱はラッチボルト、デッドボルト、及びこれらを扉の木口から進退させる錠箱機構部を内設している。扉は屋内側の面にサムターン１を備えている。上記した錠箱のデッドボルトは、扉の屋外側の面に設けたシリンダー錠をキーによって、又はこのサムターン１を回動することによって扉木口から進退可能となる。
【００２２】
サムターン１は、錠箱機構部に回動操作力を入力する連結軸３を有している。
連結軸３は、錠箱或いは扉にの支持板（図示せず）を貫通し、抜脱が規制されて回動自在となっている。この連結軸３の基端４は、例えば断面十字形状となって、図示しない錠箱機構部の入力軸に相対回転不能に嵌入される。
連結軸３の先端中央には、後述する摘み部１６の嵌合部１７と互いに嵌合しあう、連結部５が設けられている。この連結部５は、本実施の形態では、図１に示すように、軸線方向に凹設される凹溝状に形成されている。
【００２３】
支持枠６は、連結軸３と同軸線上に位置して、扉、例えば扉面に突設される化粧リング７に回転自在に設けられる。支持枠６は、図１に示すように、基端側に軸部８を有し、先端側に略コ字状に形成される枠部９を備える。
【００２４】
軸部８は、化粧リング７の略中央を貫通し、回転自在とされるとともに、中途に設けられる抜止片１０が化粧リング７内面に当接状態となる。枠部９は、化粧リング７の先端側表面に配置され、両端の平行な突出片１１，１１が手前側に突出する。この枠部９の背面と抜止片１０とで、支持枠６は、化粧リング７に対して軸線方向への抜脱が規制される。そして、軸部８の端面が連結軸３の先端と対向する。
【００２５】
支持枠６には、軸部８と枠部９とを貫通するガイド穴１２を有する。このガイド穴１２は、後述する摘み部１６の嵌合部１７が貫通するようになっている。
枠部９の各突出片１１，１１の先端には取付穴１３がそれぞれ貫通形成される。これら取付穴１３，１３には、両突出片１１，１１にわたるように、規制手段１５の一方を構成する支軸１４が設けられる。
【００２６】
摘み部１６は、板状に形成され、本実施の形態では先端が湾曲形成されて略半月板状に形成されている。摘み部１６の基端には、板面と平行となる軸線方向へ突出する嵌合部１７を有している。この嵌合部１７は、支持枠６に形成されたガイド穴１２に挿通可能となっている。摘み部１６には、軸線方向に直交し且つ板面に平行となり、両側部を貫通するスリット状の長穴１８が形成されている。この長穴１８は、規制手段１５の他方を構成し、上記した支軸１４が貫通配置される。そして、この摘み部１６は、支持枠６の両突出片１１，１１間に配置され、両突出片１１，１１に掛け渡される支軸１４が長穴１８を貫通し、取り付けられる。
【００２７】
支持枠６に取り付けられた摘み部１６は、支軸１４に対する長穴１８の長手方向に沿って、その長手方向両端、すなわち長穴１８の摘み部先端側と摘み部基端側の両端との間で、この長穴１８をガイドとして支軸１４に対して摺動自在となる。そして、支持枠６に対して、支持枠６の軸線と摘み部１６の軸線とを同一軸線とする状態として、上記摺動自在な状態において、その摺動により摘み部１６の嵌合部１７が支持枠６のガイド穴１２に挿通される状態と、このガイド穴１２から抜脱される状態とになり、それぞれ、長穴１８の摘み部先端側は、嵌合位置Ａとされ、摘み部基端側は、離脱位置Ｂとされている。また離脱位置Ｂにおいては、摘み部１６は、支軸１４にのみ支持されているので、支持枠６に対して摘み部１６が揺動することとなる。この揺動は、支軸１４の位置が摘み部１６の基端側（離脱位置Ｂ）となることで摘み部１６の先端側に重心が移動するためであり、図４（ａ），（ｂ）に示すように支持枠６に対して板面が略垂直となる。
【００２８】
このような構成のサムターン１では、通常時、すなわちサムターン１としての使用を行う状態では、図２に示すように、摘み部１６の軸線Ｃ２が、連結軸３，支持枠６の軸線Ｃ１と同軸線上となるように位置し、摘み部１６は嵌合位置Ａとなり、長穴１８の先端側に支軸１４が位置しており、嵌合部１７がガイド穴１２を貫通して、その先端が連結軸３の連結部５に嵌入し、互いに嵌合した状態となっている。
この状態では、摘み部１６を摘み、回動操作を行うと、摘み部１６とともに支持枠６が回動し、そして、連結軸３にその回動操作力が伝わることとなる。これにより錠箱機構部にはその操作力が入力される。すなわち、施解錠の操作が可能となる。
【００２９】
一方、サムターン１を使用不可とするには、上記嵌合位置Ａにある摘み部１６を摘み、軸線方向に沿って手前に引くことで、支持枠６に対して摘み部１６が支軸１４に対して長穴１８の長手方向に沿って摺動される。すると、図３に示すように、嵌合部１７が連結軸３から後退して離脱し、且つ支持枠６のガイド穴１２から抜脱されることとなる。摘み部１６は、支軸１４が長穴１８の離脱位置Ｂとなるまで摺動移動し、その位置で摘み部１６より手を離すことで摘み部１８は規制手段１５の支軸１４を中心に揺動して、これにより図４（ａ）に示すように摘み部１６の軸線方向（Ｃ２）が連結軸３，支持枠６の軸線Ｃ１に対して直交する向きとなる。この状態では、摘み部１６、及び支持枠６を回転させても、連結軸３とは連結されていない離脱状態となっており、この摘み部１６と支持枠６とが空転することとなり、回動操作力は連結軸３に伝わることがない。すなわち、不正な回動操作などを行うことが不可能となり、防犯性が得られることとなる。
【００３０】
したがって、このサムターン１では、摘み部１６の操作力を連結軸３へ伝達するのに、摘み部１６を、連結軸３の軸線Ｃ１と同軸線上とし、連結軸３方向に摺動させて嵌合位置Ａとし、摘み部１６の嵌合部１７を連結軸３の連結部５に嵌合状態とさせる。この状態では、摘み部１６と連結軸３とが連動連結状態となり摘み部１６の回動操作力が連結軸３に伝わり、錠箱機構部への施解錠操作が行えることとなる。また、摘み部１６を摺動し、離脱位置Ｂとすれば、摘み部１６は、連結軸３との嵌合状態が解かれ、同時に摘み部１６が揺動し、連結軸３の軸線Ｃ１から摘み部１６の軸線Ｃ２が異なる方向となり外れることとなって、互いの嵌合が行われなくなる。この状態では、摘み部１６は、支持枠６とともに、回転自在な状態となり、すなわち、摘み部１６側の回転は、連結軸３に伝わらず、摘み部１６は空転するのみである。したがって、扉等に設けた小窓を割り手を差し入れてサムターン１を不正に操作しようとしても、摘み部１６を扉の方向に、連結軸３の軸線と同軸線として摺動させ回転操作をしなくてはならないことから、容易にそのような操作を行うことが不可能となり、操作力を錠箱機構部に入力し解錠を行うことができず、また、扉等に設けた小窓を割り、或いは扉と扉枠の隙間から針金や棒等を差し入れることによりサムターン１を不正に操作しようとしても、摘み部１６は空転するのみで、操作力を錠箱機構部に入力して解錠を行うことができない。
【００３１】
なお、上述した実施の形態では、規制手段１５として、支持枠６に設けられる支軸１４と、摘み部１６に設けられる長穴１８とで構成する例として述べたが、支持枠６に長穴を形成し、摘み部の両側に支軸を設けて、上記同様な摺動自在な構成とすることとしてもよい。
【００３２】
また、上述した実施の形態では、連結軸３と摘み部１６とが嵌合している状態から、これらの嵌合状態を解く際に、摘み部１６を操作する者が手動で引き、離脱位置Ｂに摺動させ、連結軸３との連結状態を解除する例について述べたが、摘み部から手を離すと、摘み部１６が支持枠６に対して後退方向に摺動し、連結軸３に対して離脱状態に付勢されるような構成、すなわち付勢手段を備えるものとしてもよい。
例えば、支持枠６の前面と摘み部１６の基端部との対向面間にコイルバネなどの付勢手段を設け、支持枠６に対して摘み部１６が離反する方向に常に付勢力を有する構成とすれば、摘み部１６を嵌合位置Ａに摺動させて施解錠などの回動操作を終え、摘み部１６から手を離すと支持枠６に対して後退し離反する方向に付勢され、連結軸３に対する嵌合部１７の嵌合状態を解除することとなる。そして、摘み部１６は、付勢手段によって離脱位置Ｂに位置されることから、摘み部１６は支軸１４を中心に揺動し、各軸線Ｃ１，Ｃ２が一致せず、すなわち防犯状態となる。
一方、摘み部１６の嵌合部１７を連結軸３と嵌合状態にする場合には、付勢手段の付勢力に抗して摘み部１６を軸線方向に押圧しながら摺動操作しなければならず、施解錠の操作として、一操作増えることになるので防犯性が向上することとなる。
【００３３】
さらに、上記した付勢手段としては、長穴１８内に付勢手段を配置することで、支軸１４に対して付勢力を有する構成とすることができ、この支軸１４に対する後退、すなわち離脱位置Ｂ方向への移動を行う構成としてもよい。
【００３４】
また、上述した実施の形態では、摘み部１６の自重により離脱位置Ｂにて揺動し、軸線Ｃ１，Ｃ２を異なる方向とする構成としたが、この揺動された状態を保持する保持手段を備えることとしてもよい。
例えば、この保持手段としては、捩じりコイルバネを支軸１４周りに配置し、延出する一方の端部を支持枠６に固定し、他方の端部を摘み部１６に摺動可能として係止させることで、離脱位置Ｂにて他方の端部に付勢力が発生し、支持枠６に対して摘み部１６を揺動させる構成などとすることができる。
【００３５】
さらに、この保持手段としては、支持枠６の突出片１１内面と摘み部１６の側部との間隙部分に、球面状の凹凸の組合せで構成されるような、係止構造を設けることで、クリック感を生じさせて、位置保持が行えるような構成とすることも可能である。
このような保持手段を設けることで、摘み部１６は、揺動状態が維持され、すなわち、連結軸３の軸線Ｃ１と摘み部１６の軸線Ｃ２とが異なった方向が維持されることとなり、摘み部１６と連結軸３とが容易に嵌合され連結されることがなくなる。
【図面の簡単な説明】
【００３６】
【図１】本発明に係るサムターンの実施の形態を表す分解斜視図である。
【図２】同サムターンの側断面図である。
【図３】同サムターンの動作状態を示す側断面図である。
【図４】同サムターンの動作状態を示す側断面図を（ａ）、正面図を（ｂ）に示した図である。
【符号の説明】
【００３７】
１…サムターン
３…連結軸
６…支持枠
１４…支軸
１５…規制手段
１６…摘み部
１７…嵌合部
１８…長穴
Ａ…嵌合位置
Ｂ…離脱位置
【図１】
2006057286.tif 000003
【図２】
2006057286.tif 000004
【図３】
2006057286.tif 000005
【図４】
2006057286.tif 000006